(57)【要約】【課題】軸部の質量を軽減し、なお且つ、軸部自体が可動する事により、あらゆる位置に重心位置を可変する事が可能な外殻構造のヘッド部を備えたゴルフクラブヘッドを提供する。、【解決手段】ヘッド部１の内部においてクラウン部２、サイド部３及びソール部４に接することなく、プロペラ状の質量体５が回転可能な機構を備え、前記プロペラ状の質量体は軸部６を有し、前記軸部６はレール７に設けられた貫通溝８を通してヘッド部１の外部に連通し、ヘッド部１の外部から操作可能なハンドル部９と接合する。【選択図】図１
2009240653.tif 000002
【特許請求の範囲】
【請求項１】
外殻構造のヘッド部（１）を備えたゴルフクラブであって、前記ヘッド部（１）の内部においてクラウン部（２）、サイド部（３）及びソール部（４）に接することなく、プロペラ状の質量体（５）が回転可能な機構を備え、前記プロペラ状の質量体は軸部（６）を有し、前記軸部（６）はレール（７）に設けられた貫通溝（８）を通してヘッド部（１）の外部に連通し、ヘッド部（１）の外部から操作可能なハンドル部（９）と接合された事を特徴としたゴルフクラブヘッド。
【請求項２】
前記外殻構造のヘッド部（１）を備えたゴルフクラブであって、前記レール（７）はソール部（４）のトウーヒール方向に延在し、ハンドル部（９）はレール（７）の任意の位置において固定が可能で、且つその位置においてハンドル部（９）を任意の方向に回転させて固定した事を特徴とする請求項１記載のゴルフクラブヘッド。
【請求項３】
前記外殻構造のヘッド部（１）を備えたゴルフクラブであって、前記レール（７）はソール部（４）のフェースーバック方向に延在し、ハンドル部（９）はレール（７）の任意の位置において固定が可能で、且つその位置においてハンドル部（９）を任意の方向に回転させて固定した事を特徴とする請求項１記載のゴルフクラブヘッド。
【請求項４】
前記外殻構造のヘッド部（１）を備えたゴルフクラブであって、前記レール（７）はサイド部（３）のトウーヒール方向に延在し、ハンドル部（９）はレール（７）の任意の位置において固定が可能で、且つその位置においてハンドル部（９）を任意の方向に回転させて固定した事を特徴とする請求項１記載のゴルフクラブヘッド。
【請求項５】
前記外殻構造のヘッド部（１）を備えたゴルフクラブであって、前記レール（７）はソール部（４）のフェースーバック方向、さらにはサイド部（３）のヘッド後方部まで延在し、ハンドル部（９）はレール（７）の任意の位置において固定が可能で、且つその位置においてハンドル部（９）を任意の方向に回転させて固定した事を特徴とする請求項１記載のゴルフクラブヘッド。
【請求項６】
前記外殻構造のヘッド部（１）を備えたゴルフクラブであって、前記プロペラ状の質量体（５）の先端部にプロペラ状の質量体の本体（５a）よりも比重の大きい質量体（５b）を備えた事を特徴とする、請求項１から５に記載のゴルフクラブヘッド。
【請求項７】
前記外殻構造のヘッド部（１）を備えたゴルフクラブであって、前記プロペラ状の質量体（５）は水平面に対して略平行に延びている事を特徴とする請求項１から３及び請求項６に記載のゴルフクラブヘッド。
【請求項８】
前記外殻構造のヘッド部（１）を備えたゴルフクラブであって、前記プロペラ状の質量体（５）は水平面に対して角度を有した事を特徴とする請求項１または請求項４から６に記載のゴルフクラブヘッド。
【発明の詳細な説明】
【技術分野】
【０００１】
本発明は、ヘッド部の内部が空洞であり、外殻がチタニウム、チタニウム合金、ステンレス等の金属材料からなる金属製外殻構造のヘッド部を備えたゴルフクラブに関するものである。
【背景技術】
【０００２】
ゴルフクラブのヘッド部は、その重心位置をコントロールする為に、ヘッド外部乃至内部にウェイト部品を固定して取り付けること、さらには、そのウェイト部品を交換可能もしくはその位置を可変させる事が公知となっている。
【０００３】
特開２００５−１４５７５１号公報には、比重の異なる２種類以上の材料で構成された円柱形状のウェイトパーツがソール部に取り付けられ、そのウェイトパーツを固定及び解除して回転させる事によりヘッドの重心位置を可変させる機構が記載されている。
【０００４】
特願２００６−５１８６２９号公報には、重り位置決めシステムは、重りおよび支持体を含み、重りは、重心位置を第1 の方向に変更するように支持体に沿って独立に移動可能であり、かつ重りは、重心位置を第2の方向に変更するように支持体の周囲を独立に移動可能である機構が記載されている。
【０００５】
【特許文献１】特開２００５−１４５７５１号公報
【特許文献２】特開２００６−５１８６２９号公報
【発明の開示】
【発明が解決しようとする課題】
【０００６】
上記特開２００５−１４５７５１号の記載の発明では、比重の異なる２種類以上の材料で構成された円柱形状のウェイトパーツはソールの中心部分においての回転に限定されており、また円柱形状の為に、回転体の先端のみ極端に質量を集中させる事ができず、重心の可動範囲が狭いと言う問題点を有していた。
【０００７】
また、特願２００６−５１８６２９号記載の発明では、中心軸に設置された羽により、ある程度の回転は可能であるが、中心軸にはネジ部を加工する為、ある程度の太さを有する必要があり、そこに質量を使用する為、羽の質量を比較的軽くしなけければならない問題があった。また、中心軸の位置は固定されている為、重心の可動範囲も狭いと言う問題点を有していた。
【０００８】
そこで、本発明の目的は、前記外殻構造のヘッド部を備えたゴルフクラブであって、軸部の質量を軽減し、なお且つ、軸部自体が可動する事により、あらゆる位置に重心位置を可変する事が可能になるものである。
【課題を解決するための手段】
【０００９】
そこで、本発明の目的は、前記外殻構造のヘッド部を備えたゴルフクラブであって、前記ヘッド部（１）の内部においてクラウン部（２）、サイド部（３）及びソール部（４）に接することなく、プロペラ状の質量体（５）が回転可能な機構を備え、前記プロペラ状の質量体は軸部（６）を有し、前記軸部（６）はレール（７）に設けられた貫通溝（８）を通してヘッド部（１）の外部に連通し、ヘッド部（１）の外部から操作可能なハンドル部（９）と接合された事を特徴としたゴルフクラブヘッドである。また、前記プロペラ状の質量体（５）は水平面に対して略平行に延びているだけでなく、軸部の移動により水平面に対して角度を有した事を特徴とするゴルフクラブヘッドである。
【発明の効果】
【００１０】
上記のように、本発明においてはプロペラ状の質量体がレールに沿って移動可能であり、さらに、その位置において回転が可能になることで、従来よりも重心位置の選択が大幅に増え、あらゆるゴルファーに適したゴルフクラブヘッドを提供できるものである。
【発明を実施するための最良の形態】
【００１１】
以下、図１〜図５を用いて、本発明の実施の形態について説明する。
【００１２】
図１、図２には、中空構造のチタン合金製ウッド型ゴルフクラブヘッドを記載している。ソール部分にはトウーヒール方向に幅１０mm、長さ３０mmのレールを設けており、レールの底面に設けられた、幅５mmの貫通溝に沿ってハンドル部が移動可能な構造となっている（図３）。ハンドル部は直径８mm、厚み２mmのアルミ合金製であり、ハンドル部には直径４mm、長さ１０mmのアルミ合金製軸部を備えており、その軸部に垂直な方向に幅５mm、厚み１mmのアルミ合金製のプロペラ状の質量体がＴ字型に接合一体化されている。さらにプロペラ状の質量体の片側の先端には任意の手法により接合した重さ５gのタングステン合金が接合されている。
【００１３】
プロペラ状の質量体はヘッドの設定質量やヘッド内部の大きさにより、材質、長さ等が変更可能であり、またＴ字型ではなく、Ｌ字型での接合も可能である。
【００１４】
上記構造において、ハンドル部は貫通溝に沿って移動する事が可能であり、さらに、任意の位置において回転する事が可能であり、プロペラ状の質量体の向きを任意に変更することが可能になっている。ハンドル部には固定用のネジ穴部が設けられ、貫通溝の両端に備えられた２つの貫通ネジ穴部によって、ネジ留めが可能になる（図４）。
【００１５】
図５には、レールの方向が異なる中空構造のチタン合金製ウッド型ゴルフクラブヘッドを記載している。ソール部分にはフェースーバック方向に幅１０mm、長さ５０mmのレールを設けており、レールの底面に設けられた、幅５mmの貫通溝に沿ってハンドル部が移動可能な構造となっている（図３）。ハンドル部は直径８mm、厚み２mmのアルミ合金製であり、ハンドル部には直径４mm、長さ１０mmのアルミ合金製軸部を備えており、その軸部に垂直な方向に幅５mm、厚み１mmのアルミ合金製のプロペラ状の質量体が接合一体化されている。さらにプロペラ状の質量体の先端には任意の手法により接合した重さ５gのタングステン合金が接合されている。
【００１６】
プロペラ状の質量体はヘッドの設定質量やヘッド内部の大きさにより、材質、長さ等が変更可能であり、またＴ字型ではなく、Ｌ字型での接合も可能である。
【００１７】
上記構造において、ハンドル部は貫通溝に沿って移動する事が可能であり、さらに、任意の位置において回転する事が可能であり、プロペラ状の質量体の向きを任意に変更することが可能になっている。ハンドル部には固定用のネジ穴部が設けられ、貫通溝の両端に備えられた２つの貫通ネジ穴部によって、ネジ留めが可能になる（図４）。
【００１８】
この場合、ハンドル部がソール部分に位置するときはプロペラ状の質量体は水平面に対して略平行となっているが、ハンドル部が後方に移動した場合は、プロペラ状の質量体は水平面に対して任意の角度を有し、その状態において回転が可能になり、ヘッドのトウーヒール方向だけではなく、ヘッドの上下方向の重心位置も可変となる。
【図面の簡単な説明】
【００１９】
【図１】本発明のゴルフクラブヘッドの断面概略図
【図２】本発明のゴルフクラブヘッドの上視図
【図３】本発明のゴルフクラブヘッドのレール底面部拡大図
【図４】本発明のゴルフクラブヘッドのハンドル部拡大図
【図５】本発明のゴルフクラブヘッドの断面概略図
【符号の説明】
【００２０】
１  ヘッド部
２  クラウン部
３  サイド部
４  ソール部
５ａ  質量体
５ｂ  高比重素材
６  軸部
７  レール
８  貫通溝
９  ハンドル部
１０ａ  レール部固定用螺子穴
１０ｂ  ハンドル部固定用螺子穴
１１  固定用螺子
【図１】
2009240653.tif 000003
【図２】
2009240653.tif 000004
【図３】
2009240653.tif 000005
【図４】
2009240653.tif 000006
【図５】
2009240653.tif 000007